(57)【要約】【課題】広告の分離給送および広告束の分離給送が可能になされた給紙装置において、複数の捌き部材を小さなスペースで切り替えることができるようにする。【解決手段】用紙搬送面と略直交する回転軸を中心に回転可能とされた支持台４上に、回転軸の周りに環状に複数の捌き部材３Ａ，３Ｂを配置し、支持台４を回転させることによって、給紙ローラ５の周面に対向させる捌き部材３Ａ，３Ｂを切り替える捌き切替機構を設けるとともに、給紙ローラ５の周面に対して圧接する位置と離間する位置との間で捌き部材３Ａの位置を調整する捌き調整機構を設け、給送ローラ９の捌き部材３Ａに対する相対位置を離間させることができるようにすることにより、支持台４および捌き部材３Ａ，３Ｂの回転移動が可能な空間を確保し、複数の捌き部材３Ａ，３Ｂを小さなスペースで切り替えることができるようにする。【選択図】図１Ａ
2014019501.tif 000002
【特許請求の範囲】
【請求項１】
用紙または用紙束から成る被給送物を給送する方向に回転し、その周面にて上記被給送物を給送する給紙ローラと、
上記給紙ローラの周面に対向して配置され、上記給紙ローラの周面との間で上記用紙を捌く捌き部材と、
上記捌き部材に隣接して配置され、上記用紙束を給送する方向に回転し、上記給紙ローラと共に上記用紙束を挟みつつ給送する給送ローラと、を備えた給紙装置であって、
用紙搬送面と略直交する回転軸を中心に回転可能とされた支持台上に、上記回転軸の周りに環状に上記捌き部材が複数配置されており、上記支持台を回転させることによって、上記給紙ローラの周面に対向させる上記捌き部材を切り替える捌き切替機構と、
上記給紙ローラの周面に対して圧接する位置と離間する位置との間で上記捌き部材の位置を調整する捌き調整機構とを備え、
上記捌き部材を上記給紙ローラの周面から離間させるように上記捌き調整機構を操作すると、上記給送ローラの上記捌き部材に対する相対位置が離間する方向に変化するように構成したことを特徴とする給紙装置。
【請求項２】
上記捌き調整機構を一の方向に操作することにより、その操作状態に応じて、上記捌き部材の上記給紙ローラの周面からの離間動作と、上記給送ローラの上記捌き部材に対する相対位置の離間動作とが行われるように構成したことを特徴とする請求項１に記載の給紙装置。
【請求項３】
上記捌き調整機構を上記一の方向に操作すると、上記捌き部材が上記給紙ローラの周面から離間した所定位置までは、上記給送ローラが上記捌き部材と共に同方向に移動し、上記捌き部材が上記所定位置を超える範囲で上記捌き調整機構を上記一の方向に操作すると、上記給送ローラの上記捌き部材に対する相対位置が離間する方向に変化することを特徴とする請求項２に記載の給紙装置。
【発明の詳細な説明】
【技術分野】
【０００１】
本発明は給紙装置に関し、特に、給紙トレイ上に積載された用紙を１枚ずつ分離して給送したり、給紙トレイ上に積載された用紙束を１部ずつ分離して給送したりする機能を備えた給紙装置に関するものである。
【背景技術】
【０００２】
従来、新聞広告を配達単位の束にまとめるために、新聞広告丁合装置が利用されている。一般に、新聞広告丁合装置は、給紙トレイ上に積載された広告を１枚ずつ分離して給送する給紙装置を、用紙束搬送路に沿って縦方向に並べた状態で複数備えている。そして、各々の給紙装置から１枚ずつ給送された広告を搬送しながら重ね合わせることにより、広告束を形成する。さらに、用紙束搬送路の最下部に配置された２つ折り用給紙装置から給送された広告を２つ折りにして、その内側に上記広告束を挿入することにより、配達単位の広告束を形成する。
【０００３】
新聞販売店に納品されてくる広告は、種類ごとに束を形成している。そこで、各々の束をそれぞれの給紙装置に積載し、新聞広告丁合装置を上述のように動作させることによって配達単位の広告束を形成するという丁合作業が必要になる。ところで、新聞販売店に納品されてきた広告の種類の数が、新聞広告丁合装置が備える給紙装置の数を上回ることがある。その場合は、丁合作業を２回に分けて行う。
【０００４】
１回目は、全種類のうち一部の種類の広告を、２つ折り用給紙装置を含む各給紙装置に積載して丁合を行い、広告束を形成する。２回目は、２つ折り用給紙装置を含む各給紙装置に残りの広告を積載するとともに、１回目で形成した広告束も給紙装置に積載する。その状態で２回目の丁合を行う。この場合、１回目で形成された広告束が１つの給紙装置から１部ずつ分離して給送され、その他の給紙装置から１枚ずつ給送されてきた広告と重ね合わされて、新たな２つ折り広告の内側に挿入される。これにより、配達単位の広告束が形成される。
【０００５】
このように丁合作業を２回に分けて行えるようにするためには、新聞広告丁合装置が備える複数の給紙装置のうち、少なくとも一部の給紙装置については、１枚ものの広告の分離給送と、１回目の丁合で形成した広告束の分離給送との両方を行うことが可能に構成されていなければならない。従来、給紙トレイ上に積載された用紙を１枚ずつ分離して給送したり、給紙トレイ上に積載された用紙束を１部ずつ分離して給送したりする機能を備えた給紙装置が提案されている（例えば、特許文献１，２参照）。
【０００６】
特許文献１，２に記載の給紙装置はともに、給紙ローラと、この給紙ローラの外周面に圧接する捌き部材とを備えている。給紙トレイ上に積載された広告は、この給紙ローラと捌き部材との間で１枚ずつ分離され、下流側へと給送される。すなわち、給紙ローラと捌き部材との間に２枚以上の広告が進入したときに、２枚目以下の広告と捌き部材との摩擦力によって２枚目以下の給送が阻止され、最上位の１枚の広告だけが給送される。広告と捌き部材との摩擦力が、広告どうしの摩擦力を上回るためである。
【０００７】
特許文献１に記載の給紙装置では、給紙ローラおよび捌き部材に加え、給紙ローラに接触および離間可能な給送ローラが捌き部材の下流側に設けられている。１回目の丁合で広告を１枚ずつ分離給送する場合は、捌き部材および給送ローラを共に給紙ローラの周面に圧接させる。互いに圧接した捌き部材の面と給紙ローラの周面との間に広告束が入り込み、そのうち最上位の１枚のみが給送され、給送された１枚の広告が給紙ローラと給送ローラに挟まれて前進する。
【０００８】
一方、２回目の丁合で広告束を１部ずつ分離給送する場合は、捌き部材および給送ローラを共に給紙ローラの周面から離間させておく。離間させてできる隙間を広告１束の厚さ分にすることにより、１束の広告のみが送り出される。２回目の丁合において、１回目の丁合で形成された広告束は、給紙ローラと給送ローラとに挟まれて、広告束の表面と裏面とに各々上下のローラから前進力を付与されるので、２つ折りの広告に束が挿入された状態を保ったまま分離給送される。
【０００９】
また、特許文献２に記載の給紙装置では、給紙ローラおよび捌き部材に加え、給送ローラ対（上部送りローラおよび下部送りローラ）が捌き部材の両側に設けられている。２回目の丁合において、１回目の丁合で形成された広告束は、給送ローラ対に挟まれて分離給送される。
【００１０】
ところで、広告に適用される用紙は、紙質（上質紙、更紙、アート・コート系紙等）、形態（ペラ、２つ折り、４つ折り等）、サイズ等が様々であり、それぞれ用紙どうしの摩擦力が異なる。そのため、捌き部材の給紙ローラに対する摩擦力を変えるために、異なる材質の捌き部材に交換して使用する場合があった。これに対し、異なる材質の捌き部材を複数備え、何れかを選択的に給紙ローラに対向させて広告の分離給送に使用するようにした給紙装置が提案されている（例えば、特許文献３参照）。
【先行技術文献】
【特許文献】
【００１１】
【特許文献１】特開平９−２０８０７１号公報
【特許文献２】特開２００５−２８９５３５号公報
【特許文献３】特開２０１１−１０５４９８号公報
【発明の概要】
【発明が解決しようとする課題】
【００１２】
特許文献３に記載の給紙装置によれば、最初から複数の捌き部材を収容しておき、何れかを選択的に給紙ローラに対向させて使用することができるようにしたので、捌き部材交換の手間を大幅に削減することができる。しかしながら、この特許文献３に記載されたスライド移動式の構造では、広いスペースを必要とするという問題があった。また、特許文献１，２のように広告束を１部ずつ分離して給送することが可能になされた給紙装置では、下側ローラに対する駆動力付与等のための構成が複雑に入り組んでおり、特許文献３のような構造をそのまま適用することが困難という問題もあった。
【００１３】
本発明は、このような問題を解決するために成されたものであり、広告を１枚ずつ分離給送したり広告束を１部ずつ分離給送したりすることが可能になされた給紙装置において、複数の捌き部材を小さなスペースで切り替えることができるようにすることを目的とする。
【課題を解決するための手段】
【００１４】
上記した課題を解決するために、本発明の給紙装置では、用紙搬送面と略直交する回転軸を中心に回転可能とされた支持台上に、回転軸の周りに環状に複数の捌き部材を配置し、支持台を回転させることによって、給紙ローラの周面に対向させる捌き部材を切り替える捌き切替機構を設けている。また、本発明の給紙装置では、給紙ローラの周面に対して圧接する位置と離間する位置との間で捌き部材の位置を調整する捌き調整機構を備え、捌き部材を給紙ローラの周面から離間させるように捌き調整機構を操作したときに、用紙束を給送するための給送ローラの捌き部材に対する相対位置が離間する方向に変化するように構成している。
【発明の効果】
【００１５】
上記のように構成した本発明によれば、複数の捌き部材を環状に配置した支持台を回転させることによって、何れかの捌き部材を選択的に給紙ローラに対向させて広告の分離給送に使用することができる。また、本発明によれば、支持台を回転させるときに、給送ローラの捌き部材に対する相対位置が離間する方向に変化し、支持台およびこれに配置された捌き部材の回転移動に要する空間領域から給送ローラを退避させることができる。言い換えると、捌き調整機構により給送ローラを退避させることによって、支持台および捌き部材の回転移動が可能な空間を確保することができるので、複数の捌き部材を小さなスペースで切り替えることができる。
【図面の簡単な説明】
【００１６】
【図１Ａ】本実施形態による給紙装置の第１の状態を示す正面図である。
【図１Ｂ】本実施形態による給紙装置の第２の状態を示す正面図である。
【図１Ｃ】本実施形態による給紙装置の第３の状態を示す正面図である。
【図２Ａ】本実施形態による捌き調整機構の第１の状態の構成例を示す図である。
【図２Ｂ】本実施形態による捌き調整機構の第２の状態の構成例を示す図である。
【図２Ｃ】本実施形態による捌き調整機構の第３の状態の構成例を示す図である。
【図３Ａ】本実施形態による捌き調整機構の第１の状態の構成例を示す図である。
【図３Ｂ】本実施形態による捌き調整機構の第２の状態の構成例を示す図である。
【図３Ｃ】本実施形態による捌き調整機構の第３の状態の構成例を示す図である。
【図４Ａ】本実施形態による捌き調整機構の第１の状態の構成例を示す図である。
【図４Ｂ】本実施形態による捌き調整機構の第２の状態の構成例を示す図である。
【図４Ｃ】本実施形態による捌き調整機構の第３の状態の構成例を示す図である。
【図５Ａ】本実施形態による捌き切替機構の構成例を示す図である。
【図５Ｂ】本実施形態による捌き切替機構の構成例を示す図である。
【図５Ｃ】本実施形態による捌き切替機構が備えるスリットの構成例を示す図である。
【発明を実施するための形態】
【００１７】
以下、本発明の一実施形態を図面に基づいて説明する。本実施形態の給紙装置は、広告を１枚ずつ分離給送したり、広告束を１部ずつ分離給送したりすることが可能になされたものである。また、本実施形態の給紙装置は、広告を１枚ずつ分離給送する際に使用する捌き部材として材質の異なるものを複数備え、何れかの捌き部材を選択的に使用することができるようにしたものである。
【００１８】
そのため、本実施形態の給紙装置は、広告を１枚ずつ分離して給送するように成された第１の状態と、広告束を１部ずつ分離して給送するように成された第２の状態と、複数の捌き部材を切り替えられるように成された第３の状態との３つの状態をとり得る。以下、これら３つの状態をそれぞれ図面に示し、当該図面に基づいて本実施形態による給紙装置の構成例を説明する。なお、図１〜図４において、Ａは第１の状態、Ｂは第２の状態、Ｃは第３の状態を示している。
【００１９】
図１Ａ〜図１Ｃは、本実施形態による給紙装置を示す正面図である。図１Ａ〜図１Ｃに示すように、給紙トレイ１は、その先端部が下方に位置するように傾斜して配置され、この上に用紙または用紙束（本実施形態では、広告または広告束）が載置されるようになっている。１回目の丁合の際には、複数の広告が重ねられた状態で給紙トレイ１に載置される。２回目の丁合の際には、複数の広告束が重ねられた状態で給紙トレイ１に載置される。
【００２０】
この給紙トレイ１の用紙搬送方向下流側には、搬送板２が給紙トレイ１の延長上に位置するように配設されている。また、搬送板２の下流側には、捌き部材３Ａが給紙ローラ５の周面に対向して配置されている。給紙ローラ５は、広告または広告束（以下、これらをまとめて被給送物という）を給送する方向に回転し、その周面にて被給送物を給送する。捌き部材３Ａは、広告を１枚ずつ分離して給送する第１の状態において（図１Ａの状態）、給紙ローラ５の周面との間で広告を１枚ずつ捌く。
【００２１】
本実施形態では、２つの捌き部材３Ａ，３Ｂを備えており、何れかを選択的に給紙ローラ５に対向させて広告の分離給送に使用することができるように構成している。なお、図１Ａは、捌き部材３Ａが選択された状態を示している。捌き部材３Ａ，３Ｂの上には、捌き部材３Ａの用紙搬送方向下流側半分を除いて金属製のガイド板１３が被せられており、このガイド板１３の上を被給送物が搬送される。
【００２２】
このガイド板１３は、磨耗した捌き部材３Ａ，３Ｂの交換等のために、図示しないガイド軸を中心として回動可能に構成されている。被給送物を給送するときは、捌き部材３Ａ，３Ｂの上にガイド板１３が被せられる。このとき捌き部材３Ａは、上述のように用紙搬送方向下流側半分を除く一部分がガイド板１３によって覆われる。捌き部材３Ａの用紙搬送方向下流側半分はガイド板１３から露出しており、その露出部分が給紙ローラ５の周面と接触し、広告を捌くように作用する。
【００２３】
２つの捌き部材３Ａ，３Ｂは、用紙搬送面と略直交する回転軸を中心に回転可能とされた支持台４上に、当該回転軸の周りに環状に配置されている。そして、支持台４を回転させることによって、給紙ローラ５の周面に対向させて配置する捌き部材３Ａ，３Ｂを切り替えることができるようにしている。なお、この捌き部材３Ａ，３Ｂを切り替えるための捌き切替機構の詳細については後述する。
【００２４】
捌き切替機構により選択された捌き部材３Ａの上方には、給紙ローラ５が配置されている。また、給紙ローラ５の用紙搬送方向上流側には、補助給紙ローラ６が配置されている。給紙ローラ５と補助給紙ローラ６との間には歯付ベルト７が架けられており、モータ（図示せず）によって駆動される給紙ローラ５の駆動力が補助給紙ローラ６に伝えられるようになっている。補助給紙ローラ６は、給紙ローラ５と共に回転し、給紙トレイ１に載置された最上位の被給送物を給紙ローラ５と捌き部材３Ａとの間に送り込む。
【００２５】
捌き切替機構により選択された捌き部材３Ａの下流側には、用紙ガイド板８が配設されている。この用紙ガイド板８の一端は搬送板２に接続され、用紙ガイド板８の他端は下方に向けて湾曲成形されている。この搬送板２と用紙ガイド板８は、幅方向（用紙搬送方向に直交する方向）の全幅にわたって設けられている。一方、支持台４、捌き部材３Ａ，３Ｂ、給送ローラ９、ガイド板１３が存在する部分の上部は開口している。したがって、被給送物は搬送板２とガイド板１３に案内されて、捌き切替機構により選択された捌き部材３Ａと給紙ローラ５との間に進入する。
【００２６】
また、捌き切替機構により選択された捌き部材３Ａの下流側には、当該捌き部材３Ａに隣接して給送ローラ９が配置されている。この給送ローラ９は、広告束を１部ずつ分離して給送する第２の状態において（図１Ｂの状態）、広告束を給送する方向に回転し、給紙ローラ５と共に用紙束を挟みつつ給送する。給送ローラ９は、第１のブラケット１０により支持されている。
【００２７】
本実施形態では、給紙ローラ５は、捌き部材３Ａと共に広告を１枚ずつ分離して給送する際に使用するローラとして機能するとともに、給送ローラ９（下側ローラ）と共に広告束を１部ずつ分離して給送する際に使用する上側ローラとして機能する。
【００２８】
捌き部材３Ａ，３Ｂ、支持台４および回動軸１２は、第２のブラケット１４にまとめて支持されている。第２のブラケット１４は、支持軸１１を中心として回動可能に構成されている。これにより、第２のブラケット１４が支持軸１１を中心として回動することにより、捌き部材３Ａ，３Ｂおよび支持軸台４が上下動（回動）するようになっている。
【００２９】
上述のように、第２のブラケット１４は回動軸１２も支持している。また、第１のブラケット１０は、回動軸１２を中心として反時計方向に付勢されており、図１Ａおよび図１Ｂに示す位置で停止するように係止されている。そのため、第１のブラケット１０が反時計方向に付勢されて係止状態にあるとき、第２のブラケット１４が支持軸１１を中心として回動することによって、第１のブラケット１０も第２のブラケット１４と一緒に回動する。これにより、第１のブラケット１０に支持された給送ローラ９も、第２のブラケット１４に支持された支持台４と一緒に下降する。したがって、給送ローラ９は、支持台４上に配置された捌き部材３Ａと共に同方向に移動する。
【００３０】
広告を１枚ずつ分離して給送するときは、図１Ａに示す第１の状態となるように支持台４を設置する。このとき、支持台４に配置された捌き部材３Ａは、給紙ローラ５の周面に対して圧接した状態となる。一方、広告束を１部ずつ分離して給送するときは、支持軸１１を中心として第２のブラケット１４を回動させ、図１Ｂに示す第２の状態となるように支持台４を設置する。このとき、支持台４上に配置された捌き部材３Ａは、給紙ローラ５の周面から離間した状態となる。
【００３１】
第１のブラケット１０は、回動軸１２を中心として回動可能に構成されている。第１のブラケット１０が回動することによって、第１のブラケット１０の用紙搬送方向下流側が下降するとき、第１のブラケット１０に支持された給送ローラ９も一緒に下降する。このとき給送ローラ９は、支持台４上に配置された捌き部材３Ａに対する相対位置が離間する方向に移動する。
【００３２】
広告を１枚ずつ分離して給送するとき、および広告束を１部ずつ分離して給送するときは、それぞれ図１Ａおよび図１Ｂに示す状態となるように第１のブラケット１０を設置する。図１Ａに示す第１の状態のとき、給送ローラ９は、給紙ローラ５の周面に対して圧接した状態となる。図１Ｂに示す第２の状態のとき、給送ローラ９は、給紙ローラ５の周面から離間した状態となる。第２の状態では、給紙ローラ５と給送ローラ９との間の離間した空間に広告束が送り込まれる。そして、給紙ローラ５と給送ローラ９とが広告束を給送する方向に回転することにより、広告束を挟みつつ給送する。
【００３３】
これに対して、支持台４を用紙搬送面と略直交する回転軸を中心として回転させて捌き部材３Ａ，３Ｂを切り替えるときは、回動軸１２を中心として第１のブラケット１０の用紙搬送方向下流側を下方に回動させ、図１Ｃに示す第３の状態となるように第１のブラケット１０を設置する。このとき、第１のブラケット１０に支持された給送ローラ９は、給紙ローラ５の周面から大きく離間するとともに、給送ローラ９の捌き部材３Ａに対する相対位置が離間する方向に変化した状態となる。
【００３４】
図２Ａ〜図２Ｃ、図３Ａ〜図３Ｃ、図４Ａ〜図４Ｃは、給紙ローラ５の周面に対して圧接する位置と離間する位置との間で捌き部材３Ａの位置を調整する捌き調整機構の構成例を示す図である。なお、図４Ａ〜図４Ｃは、図３Ａ〜図３Ｃに示す構成から給送ローラ９、第１のブラケット１０およびその周辺の機構を消去して示した図である。本実施形態の捌き調整機構は、調節つまみ２１、リングギヤ２２、リンク機構２３、押圧コロ２４、被押圧板２５、傾斜板２６および球２７を備えて構成されている。
【００３５】
図２Ａ〜図２Ｃに示すように、リンク機構２３の図示左側端部にはラックが形成されていて、このラックにリングギヤ２２が噛み合っている。調節つまみ２１を回すとリングギヤ２２が回転し、リンク機構２３が左右に動くことになる。リンク機構２３の先には、押圧コロ２４および傾斜板２６（図３Ａ〜図３Ｃ、図４Ａ〜図４Ｃ参照）が接続されており、押圧コロ２４および傾斜板２６はリンク機構２３と共に左右に動くようになっている。
【００３６】
図４Ａ〜図４Ｃに示すように、傾斜板２６の上方には球２７が配置されており、当該球２７は支持台４に固定されている。そのため、傾斜板２６が左右に動くと、傾斜板２６の傾斜に合わせて球２７が上下に動き、それによって支持台４およびその上に配置されている捌き部材３Ａ，３Ｂが上下に移動する。これにより、図４Ａのように傾斜板２６が右方向に動くと、捌き部材３Ａが上方向に移動し、給紙ローラ５の周面に対して圧接する（図１Ａ、図３Ａに示す第１の状態）。このとき、給送ローラ９も給紙ローラ５と圧接する。
【００３７】
一方、図４Ｂ、図４Ｃに示すように傾斜板２６が左方向に動くと、捌き部材３Ａが下方向に移動し、給紙ローラ５の周面から離間する（図１Ｂ、図３Ｂに示す第２の状態および図１Ｃ、図３Ｃに示す第３の状態）。このとき、給送ローラ９も捌き部材３Ａと共に下方向に移動し、給紙ローラ５から離間していく。
【００３８】
球２７は、支持台４の回転中心軸上に配置されている。この構成によって、構造を簡単にすることができる。すなわち、傾斜板２６によって上下動させる部分（球２７）が回転中心軸からずれていた場合、支持台４を回転可能に支持するブラケットに球２７を配置しなければならず、実質的に球２７と支持台４との間に一部品が必要となる。そのため、構成が複雑化する。これに対し、球２７が回転中心軸上にあれば、支持台４に球２７を直結しても、支持台４の回転により球２７の位置は変化しないので、支持台４の位相にかかわらず傾斜板２６による上下動の調整が可能となる。
【００３９】
なお、第２の状態と第３の状態とを比較すると、給紙ローラ５の周面に対する捌き部材３Ａの離間距離が、第２の状態よりも第３の状態の方が大きくなっている。また、給紙ローラ５の周面に対する給送ローラ９の離間距離および捌き部材３Ａに対する給送ローラ９の相対位置の離間距離についても、第２の状態よりも第３の状態の方が大きくなっている。前者の離間距離の違いは、傾斜板２６の位置によるものである。後者の離間距離の違いは、傾斜板２６と押圧コロ２４および被押圧板２５との作用によるものである。
【００４０】
すなわち、調節つまみ２１を一の方向に回してリンク機構２３を図３および図４の左方向に動かすと、押圧コロ２４も左方向に動き、被押圧板２５に近づいていく。押圧コロ２４が被押圧板２５に接触するまでの間は、傾斜板２６が左方向に動くことにより、給紙ローラ５の周面に対する捌き部材３Ａの離間距離が変化していく（図３Ｂ、図４Ｂに示す第２の状態）。この間は、第１のブラケット１０が図１Ａおよび図１Ｂに示す係止状態を保ったまま、第１のブラケット１０と第２のブラケット１４とがまとめて上下動（回動）することになる。その結果、捌き部材３Ａおよび給送ローラ９は、互いの相対位置を保ったまま給紙ローラ５の周面から離間していく。
【００４１】
さらに、調節つまみ２１を同じ一の方向に回してリンク機構２３の左方向への移動量を多くすると、やがて押圧コロ２４が被押圧板２５に当接する。被押圧板２５は押圧コロ２４の移動方向に所定の傾斜を有しているので、押圧コロ２４が被押圧板２５に当接してから更にリンク機構２３を左方向へ移動させると、傾斜面２６による第２のブラケット１４の下降（回動）が継続しつつ、第１のブラケット１０に固定されている被押圧板２５が押圧コロ２４によって下方へ押し下げられる。これにより、第１のブラケット１０の係止状態が解除されて、第２のブラケット１４の下降よりも早く第１のブラケット１０が下降する。その結果、捌き部材３Ａに対して給送ローラ９が更に下降し、給送ローラ９の捌き部材３Ａに対する相対位置が離間していく（図３Ｃ、図４Ｃに示す第３の状態）。
【００４２】
このように、本実施形態では、捌き調整機構の調節つまみ２１を一の方向に操作することにより、捌き部材３Ａの給紙ローラ５の周面からの離間動作と、給送ローラ９の捌き部材３Ａに対する相対位置の離間動作とが行われるように構成している。
【００４３】
具体的には、調節つまみ２１を一の方向に操作したとき、押圧コロ２４が被押圧板２５に接触する位置（接触位置という）までは、捌き部材３Ａが給紙ローラ５の周面から離間していく。このとき、捌き部材３Ａが給紙ローラ５の周面から離間した所定位置にくるまでは、給送ローラ９は捌き部材３Ａと共に同方向に移動する。さらに、調節つまみ２１を一の方向に操作することにより、押圧コロ２４が接触位置を超えて移動すると、給送ローラ９の捌き部材３Ａに対する相対位置が離間する方向に変化する。
【００４４】
このような構成により、第１の状態（広告を１枚ずつ分離給送させる状態）から第２の状態（広告束を１部ずつ分離給送させる状態）へ切り替える動作と、第２の状態から第３の状態（捌き部材３Ａ，３Ｂを切り替え可能な状態）へ切り替える動作との両方を、調節つまみ２１の一の方向に対する操作によって行うことができる。これにより、操作を簡単にすることができるとともに、部品点数の削減を図ることができる。
【００４５】
図５Ａ〜図５Ｃは、捌き部材３Ａ，３Ｂを切り替えるための捌き切替機構の構成例を示す図である。図５Ａおよび図５Ｂに示すように、切り替えレバー３１を左右にスライド操作すると、これに連結されている第２のリンク機構３２が左右に動くことになる。切り替えレバー３１は、図５Ｃに示すような略Ｌ字状のスリット３３に挿通されており、その一端に第２のリンク機構３２およびバネ３４が連結されている。図５Ａは、バネ３４が縮んで、切り替えレバー３１がスリット３３の右端に当接して係止した状態を示している。図５Ｂは、バネ３４が伸びて、切り替えレバー３１がスリット３３の左側にある一段下がった引っ掛け部に係合して係止した状態を示している。
【００４６】
第２のリンク機構３２の先端側には、ラックピニオン機構のラック３５が形成されている。また、支持台４の裏側には、ラックピニオン機構のピニオンギヤ３６が形成されている。このラックピニオン機構により、切り替えレバー３１を左右にスライド操作して第２のリンク機構３２を左右に移動させると、用紙搬送面と略直交する回転軸３７を中心として支持台４が１８０度回転し、支持台４に搭載された２つの捌き部材３Ａ，３Ｂが切り替えられる。このとき捌き部材３Ａ，３Ｂの給紙ローラ５に対向する正確な位置は、切り替えレバー３１、スリット３３およびバネ３４によって一意に決められる。
【００４７】
以上詳しく説明したように、本実施形態では、用紙搬送面と略直交する回転軸３７を中心に回転可能とされた支持台４上に、回転軸３７の周りに環状に複数の捌き部材３Ａ，３Ｂを配置し、支持台４を回転させることによって、給紙ローラ５の周面に対向させる捌き部材３Ａ，３Ｂを切り替える捌き切替機構を設けている。また、本実施形態では、給紙ローラ５の周面に対して圧接する位置と離間する位置との間で捌き部材３Ａの位置を調整する捌き調整機構を設け、給送ローラ９の捌き部材３Ａに対する相対位置を離間させることができるようにしている。
【００４８】
上記のように構成した本実施形態によれば、支持台４を回転させることによって、捌き部材３Ａ，３Ｂの何れかを選択的に給紙ローラ５に対向させて広告の分離給送に使用することができる。また、本実施形態によれば、捌き調整機構により給送ローラ９の捌き部材３Ａに対する相対位置を離間させることにより、支持台４および捌き部材３Ａ，３Ｂの回転移動が可能な空間を確保することができるので、ローラ類とその駆動部とがひしめく機構においても、複数の捌き部材３Ａ，３Ｂを小さなスペースで切り替えることができる。
【００４９】
なお、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。例えば、上記実施形態では、支持台４上に２つの捌き部材３Ａ，３Ｂを配置する例について説明したが、３つ以上の捌き部材を配置するようにしてもよい。
【符号の説明】
【００５０】
１  給紙トレイ
３Ａ，３Ｂ  捌き部材
４  支持台
５  給紙ローラ
９  給送ローラ
１０  第１のブラケット
１１  支持軸
１２  回動軸
１４  第２のブラケット
２１  調節つまみ
２２  リングギヤ
２３  リンク機構
２４  押圧コロ
２５  被押圧板
２６  傾斜板
２７  球
３１  切り替えレバー
３２  第２のリンク機構
３３  スリット
３４  バネ
３５  ラック
３６  ピニオンギヤ
【図１Ａ】
2014019501.tif 000003
【図１Ｂ】
2014019501.tif 000004
【図１Ｃ】
2014019501.tif 000005
【図２Ａ】
2014019501.tif 000006
【図２Ｂ】
2014019501.tif 000007
【図２Ｃ】
2014019501.tif 000008
【図３Ａ】
2014019501.tif 000009
【図３Ｂ】
2014019501.tif 000010
【図３Ｃ】
2014019501.tif 000011
【図４Ａ】
2014019501.tif 000012
【図４Ｂ】
2014019501.tif 000013
【図４Ｃ】
2014019501.tif 000014
【図５Ａ】
2014019501.tif 000015
【図５Ｂ】
2014019501.tif 000016
【図５Ｃ】
2014019501.tif 000017